(57)【要約】【課題】内高が相違する複数種類の容器本体に対して容易に吸引用パイプの吸引口を容器本体の底部に近接させて装着可能なポンプ付き噴出器及び当該ポンプ付き噴出器を備えた液体噴出容器を提供する。【解決手段】容器本体５０の口部に装着される装着キャップ１０と、ポンプ２０と、ポンプ２０に接続された吸引用パイプ３０と、ポンプ２０を作動させる押下げヘッド４０と、を有するポンプ付き噴出器１であって、吸引用パイプ３０が、パイプ本体３１と、パイプ本体３１の外側に軸方向に相対移動自在に組み付けられたアダプター３２とを有し、アダプター３２の内周面に、パイプ本体３１の外周面に摺動可能に当接する環状の横リブ３３と、パイプ本体３１の外周面に摺接可能な縦リブ３４と、が設けられていることを特徴とするポンプ付き噴出器１。【選択図】図１
2018104053.tif 000002
【特許請求の範囲】
【請求項１】
内容液を収容する容器本体の口部に装着される装着キャップと、前記装着キャップに支持されたポンプと、前記ポンプに接続された吸引用パイプと、押し下げ操作されることにより前記ポンプを作動させて前記吸引用パイプから吸引した内容液を噴出口から噴出する押下げヘッドと、を有するポンプ付き噴出器であって、
前記吸引用パイプが、前記ポンプに接続されたパイプ本体と、下端が吸引口となる円筒状に形成されて前記パイプ本体の外側に該パイプ本体に対して軸方向に相対移動自在に組み付けられたアダプターとを有し、
前記アダプターの内周面に、前記パイプ本体の外周面に摺動可能に当接する環状の横リブと、前記横リブよりも下端側に設けられて前記パイプ本体の外周面に摺接可能な縦リブと、が設けられていることを特徴とするポンプ付き噴出器。
【請求項２】
前記アダプターの下端面に、複数の突起が周方向に間隔を空けて設けられている、請求項１に記載のポンプ付き噴出器。
【請求項３】
前記アダプターの内周面に、一対の前記横リブが軸方向に間隔を空けて並べて設けられている、請求項１または２に記載のポンプ付き噴出器。
【請求項４】
前記アダプターの内周面に、複数の前記縦リブが周方向に等間隔に並べて設けられている、請求項１〜３の何れか１項に記載のポンプ付き噴出器。
【請求項５】
前記アダプターの前記縦リブよりも下端側に、内周面の内径が前記パイプ本体の外径よりも小さくなる縮径部が設けられている、請求項１〜４の何れか１項に記載のポンプ付き噴出器。
【請求項６】
内容液を収容する容器本体と、該容器本体の口部に装着される請求項１〜５の何れか１項に記載のポンプ付き噴出器とを有していることを特徴とする液体噴出容器。
【請求項７】
前記アダプターの下端面に、複数の突起が周方向に間隔を空けて設けられ、該突起が前記容器本体の底壁に当接している、請求項６に記載の液体噴出容器。
【発明の詳細な説明】
【技術分野】
【０００１】
本発明は、ポンプ付き噴出器及び内容液を収容する容器本体にポンプ付き噴出器を装着して成る液体噴出容器に関する。
【背景技術】
【０００２】
従来から、香水や化粧水等の液体を内容液として収容する容器として、内容液を収容する容器本体の口部にポンプ付き噴出器を装着して成る液体噴出容器が知られている。
【０００３】
例えば、特許文献１には、装着キャップと、装着キャップに支持されたポンプと、ポンプに接続された吸引用パイプと、押下げヘッドと、を有するポンプ付き噴出器を、その装着キャップにおいて容器本体の口部に装着した構成を有する液体噴出容器が記載されている。この液体噴出容器によれば、押下げヘッドを押下げ操作することによりポンプを作動させて、容器本体に収容された内容液を吸引用パイプから吸引し、押下げヘッドに設けた噴出口から外部に向けて噴出させることができる。
【先行技術文献】
【特許文献】
【０００４】
【特許文献１】特開２００９−３５２７２号公報
【発明の概要】
【発明が解決しようとする課題】
【０００５】
上記特許文献１の液体噴出容器では、容器本体に収容されている内容液を残すことなく最後まで使い切ることができるようにするために、ポンプに接続された吸引用パイプの下端に設けられた吸引口を容器本体の底部に近接させる必要がある。
【０００６】
しかしながら、特許文献１に記載される従来の液体噴出容器では、吸引用パイプの長さは一定であるので、内高（口部から底部までの高さ）が相違する複数種類の容器本体に対し、吸引用パイプの長さが相違する複数種類のポンプ付き噴出器を用意する必要があるという問題点があった。この場合、複数種類のポンプ付き噴出器のそれぞれにおける吸引用パイプの長さの差が小さいと、容器本体にポンプ付き噴出器を組み付ける工程等において、吸引用パイプの長さが相違する他種のポンプ付き噴出器を誤って組み付けてしまうおそれがあるという問題も生じることになる。また、例えば容器本体としてガラス瓶を採用した場合には、各々のガラス瓶の底壁の厚みにばらつきが大きいことから、容器本体の内高が低過ぎてポンプ付き噴出器を装着できなかったり、容器本体の内高が高過ぎて吸引用パイプの吸引口から底壁との間の隙間が大きくなり過ぎたりするという問題点が生じることになり、これに対応して吸引用パイプの長さを調整することは困難であった。
【０００７】
本発明は、このような問題を解決するために開発されたものであり、その目的は、内高が相違する複数種類の容器本体に対して容易に吸引用パイプの吸引口を容器本体の底部に近接させて装着可能なポンプ付き噴出器及び当該ポンプ付き噴出器を備えた液体噴出容器を提供することにある。
【課題を解決するための手段】
【０００８】
本発明のポンプ付き噴出器は、内容液を収容する容器本体の口部に装着される装着キャップと、前記装着キャップに支持されたポンプと、前記ポンプに接続された吸引用パイプと、押し下げ操作されることにより前記ポンプを作動させて前記吸引用パイプから吸引した内容液を噴出口から噴出する押下げヘッドと、を有するポンプ付き噴出器であって、前記吸引用パイプが、前記ポンプに接続されたパイプ本体と、下端が吸引口となる円筒状に形成されて前記パイプ本体の外側に該パイプ本体に対して軸方向に相対移動自在に組み付けられたアダプターとを有し、前記アダプターの内周面に、前記パイプ本体の外周面に摺動可能に当接する環状の横リブと、前記横リブよりも下端側に設けられて前記パイプ本体の外周面に摺接可能な縦リブと、が設けられていることを特徴とする。
【０００９】
本発明のポンプ付き噴出器は、上記構成において、前記アダプターの下端面に、複数の突起が周方向に間隔を空けて設けられているのが好ましい。
【００１０】
本発明のポンプ付き噴出器は、上記構成において、前記アダプターの内周面に、一対の前記横リブが軸方向に間隔を空けて並べて設けられているのが好ましい。
【００１１】
本発明のポンプ付き噴出器は、上記構成において、前記アダプターの内周面に、複数の前記縦リブが周方向に等間隔に並べて設けられているのが好ましい。
【００１２】
本発明のポンプ付き噴出器は、上記構成において、前記アダプターの前記縦リブよりも下端側に、内周面の内径が前記パイプ本体の外径よりも小さくなる縮径部が設けられているのが好ましい。
【００１３】
本発明の液体噴出容器は、内容液を収容する容器本体と、該容器本体の口部に装着される前記ポンプ付き噴出器とを有していることを特徴とする。
【００１４】
本発明の液体噴出容器は、上記構成において、前記アダプターの下端面に、複数の突起が周方向に間隔を空けて設けられ、該突起が前記容器本体の底壁に当接しているのが好ましい。
【発明の効果】
【００１５】
本発明によれば、内高が相違する複数種類の容器本体に対して容易に吸引用パイプの吸引口を容器本体の底部に近接させて装着可能なポンプ付き噴出器及び当該ポンプ付き噴出器を備えた液体噴出容器を提供することができる。
【図面の簡単な説明】
【００１６】
【図１】本発明の一実施形態であるポンプ付き噴出器の正面図である。
【図２】図１に示す吸引用パイプの、一部を半断面で示した正面図である。
【図３】図２に示す吸引用パイプの、（ａ）は平面図、（ｂ）は正面視での半断面図、（ｃ）は底面図である。
【図４】（ａ）は図１に示すポンプ付き噴出器を容器本体の口部に装着して成る液体噴出容器の、一部を半断面で示した正面図であり、（ｂ）は図１に示すポンプ付き噴出器を同図（ａ）とは内高が相違する容器本体の口部に装着して成る液体噴出容器の、一部を半断面で示した正面図である。
【発明を実施するための形態】
【００１７】
以下、図面を参照しつつ、本発明の一実施形態に係るポンプ付き噴出器及び液体噴出容器について詳細に例示説明する。
【００１８】
図１に示す本発明の一実施の形態であるポンプ付き噴出器１は、例えば香水や化粧水等の液体を内容液として収容する容器本体の口部に装着されて用いられるものであり、装着キャップ１０、ポンプ２０、吸引用パイプ３０及び押下げヘッド４０を有している。
【００１９】
装着キャップ１０は、例えば合成樹脂材料により、周壁１１と天壁１２とを有する有頂筒状に形成されている。周壁１１の内周面には雌ねじ部（不図示）が設けられており、この雌ねじ部を容器本体の口部の外周面に設けられた雄ねじ部にねじ結合させることにより、装着キャップ１０つまりポンプ付き噴出器１を容器本体の口部に装着することができるようになっている。
【００２０】
なお、装着キャップ１０は、容器本体の口部にねじ結合により装着される構成に限らず、ねじ結合に替えてアンダーカット係合を用いた打栓により容器本体の口部に固定する構成とすることもできる。
【００２１】
ポンプ２０は、装着キャップ１０の軸心に沿った円筒状に形成されたシリンダ２１を備えている。シリンダ２１は、装着キャップ１０と同軸に縦向きの姿勢で配置され、その上端側部分において装着キャップ１０に固定保持されている。詳細は図示しないが、シリンダ２１の内部にはシリンダ室が設けられ、シリンダ室内には当該シリンダ室に沿って移動自在にピストンが装着されている。なお、ポンプ２０としては、上記構成に限らず、押下げヘッド４０の押し下げ操作により作動するものであれば、種々の構成のものを採用することができる。
【００２２】
吸引用パイプ３０は、パイプ本体３１とアダプター３２とを有している。
【００２３】
図２に示すように、パイプ本体３１は、シリンダ２１と同軸の円筒状に形成され、シリンダ２１の下端に当該シリンダ２１と一体に設けられている。パイプ本体３１の内部は軸方向に沿って延びる断面円形の液体流路３１ａとなっており、当該液体流路３１ａはシリンダ室に連通している。なお、パイプ本体３１は、シリンダ２１と別体に構成したものをシリンダ２１に固定する構成とすることもできる。
【００２４】
図２、図３に示すように、アダプター３２は、パイプ本体３１の外径よりも内径が僅かに大きい円筒状に形成されており、パイプ本体３１と同軸となってパイプ本体３１の外側にパイプ本体３１に対して軸方向に相対移動自在に組み付けられている。アダプター３２の内部も軸方向に沿って延びる断面円形の液体流路３２ａとなっており、この液体流路３２ａはパイプ本体３１の液体流路３１ａと連通している。また、アダプター３２の下端は吸引口３２ｂとなっており、この吸引口３２ｂから容器本体に収容されている内容液を液体流路３２ａに吸引することができるようになっている。
【００２５】
アダプター３２の内周面には、一対の横リブ３３が互いに軸方向に間隔を空けて並べて設けられている。これらの横リブ３３は、それぞれアダプター３２の内周面に沿って当該内周面の全周に亘って延びる環状に形成されるとともに断面が半円形状となっており、図２に示すように、パイプ本体３１の外周面に当該外周面に対して摺動可能に当接している。横リブ３３がパイプ本体３１の外周面に当接することにより、パイプ本体３１とアダプター３２との間は液密にシールされている。
【００２６】
本実施の形態においては、アダプター３２の内周面に一対の横リブ３３を設けるようにしているが、アダプター３２の内周面には少なくとも１本の横リブ３３が設けられていればよい。一対の横リブ３３を軸方向に間隔を空けて並べて設けた場合には、これら一対の横リブ３３によりアダプター３２を軸方向に傾斜させることなくパイプ本体３１に真っ直ぐに保持させることができる。
【００２７】
アダプター３２の横リブ３３が設けられた部分よりも下方側における内周面には、複数の縦リブ３４が周方向に等間隔に並べて設けられている。なお、便宜上、各図においては、１本の縦リブ３４にのみ符号を付してある。これらの縦リブ３４は、それぞれアダプター３２の軸心に沿って真っ直ぐに延びるとともに断面が半円形状となっている。図２に示すように、アダプター３２は、パイプ本体３１の下端が縦リブ３４の上端に当接する初期位置となるようにパイプ本体３１に組み付けられるが、アダプター３２をパイプ本体３１に対して図１、２中で上向き方向に押し込むことにより、縦リブ３４をパイプ本体３１の外周面に摺接させながらアダプター３２を初期位置よりも上方に移動させることができる。アダプター３２を初期位置よりも上方に移動させることにより、吸引用パイプ３０の全長（パイプ本体３１の上端からアダプター３２の下端までの長さ）を短くする方向に変更することができるとともに、縦リブ３４をパイプ本体３１の外周面に当接させて当該当接による摩擦抵抗によってアダプター３２をパイプ本体３１に対して当該移動後の位置に保持させることができる。
【００２８】
本実施の形態においては、アダプター３２の内周面に複数の縦リブ３４を設けるようにしているが、アダプター３２の内周面には少なくとも１本の縦リブ３４が設けられていればよい。複数の縦リブ３４を周方向に等間隔に並べて設けた場合には、これら複数の縦リブ３４によりアダプター３２をパイプ本体３１に対して周方向について均等に安定的に保持させることができる。
【００２９】
アダプター３２の縦リブ３４が設けられた部分よりも下端面には縮径部３５が設けられている。アダプター３２の縮径部３５における内周面の内径は、パイプ本体３１の外径よりも小さくなっており、当該縮径部３５におけるアダプター３２の内周面と縮径部３５よりも上方部分（縦リブ３４が設けられている部分）におけるアダプター３２の内周面との間は軸方向に垂直な当接面３５ａとなっている。
【００３０】
アダプター３２の下端面には、複数の突起３６が周方向に間隔を空けて設けられている。これらの突起３６は、それぞれ下端面から下方に向けて突出しており、隣り合う突起３６の間には周方向に隙間が設けられている。したがって、アダプター３２は容器本体の底壁に対して突起３６において当接することができる。突起３６が底壁に当接した状態では、アダプター３２の下端面と容器本体の底壁との間に隙間が生じるとともに隣り合う突起３６の間にも隙間が生じるので、これらの隙間を通して容器本体に収容されている内容液を吸引口３２ｂから吸引することができる。なお、便宜上、各図においては、１つの突起３６にのみ符号を付してある。
【００３１】
図１に示すように、押下げヘッド４０は、装着キャップ１０の天壁１２から上方に向けて突出して設けられている。押下げヘッド４０はポンプ２０を構成するピストンに連結されており、装着キャップ１０に対して図１中で押下げ方向（シリンダ２１に向けた方向）に操作されることにより、ピストンを駆動してポンプ２０を作動させることができる。すなわち、押下げヘッド４０を装着キャップ１０に対して押下げ方向に操作することにより、ポンプ２０を作動させて、容器本体に収容された内容液を吸引用パイプ３０の吸引口３２ｂから吸引して、押下げヘッド４０に設けた噴出口４１から外部に向けて噴出させることができる。
【００３２】
図４に示すように、ポンプ付き噴出器１を、内容液を収容する容器本体５０の口部（不図示）に装着することにより、本発明の一実施の形態である液体噴出容器６０を構成することができる。
【００３３】
容器本体５０は、ポンプ付き噴出器１が装着される口部の下方に口部よりも大径の筒状に形成された周壁５０ａと周壁５０ａの下端を閉塞する底壁５０ｂとを有するボトル形状に形成されたガラス製の小瓶であり、その内部に内容液を収容している。内容液は、例えば香水や化粧水等とすることができるが、他の液体であってもよい。ガラス製の小瓶とされた容器本体５０は、その成形上で生じる個体差により、底壁５０ｂの厚みのばらつきが大きいが、上記構成を有するポンプ付き噴出器１は、このような容器本体５０に対しても、容易に、吸引用パイプ３０の吸引口３２ｂが容器本体５０の底部５０ｂに近接するように容器本体５０の口部に装着することができる。
【００３４】
ポンプ付き噴出器１を容器本体５０の口部に装着する手順について以下に説明する。
【００３５】
まず、図２に示すように、ポンプ付き噴出器１を、アダプター３２の上端からパイプ本体３１の上端までの長さがＡとなるようにパイプ本体３１に対してアダプター３２を初期位置に位置決めした状態とする。アダプター３２の上端からパイプ本体３１の上端までの長さＡは、装着キャップ１０が完全に口部にねじ結合される前にアダプター３２の突起３６が容器本体５０の底壁５０ｂに当接する長さである。初期位置においては、上記の通り、パイプ本体３１の下端が縦リブ３４の上端に当接する。したがって、パイプ本体３１の下端が縦リブ３４の上端に当接することにより抵抗が増加するまで、パイプ本体３１にアダプター３２を手で差し込むことで、アダプター３２を容易に初期位置に設定することができる。アダプター３２の上端からパイプ本体３１の上端までの長さＡは、ポンプ付き噴出器１を容器本体５０の口部に装着したときに、アダプター３２の突起３６が容器本体５０の底壁５０ｂに当接する長さに設定されている。
【００３６】
次に、アダプター３２が初期位置とされたポンプ付き噴出器１の装着キャップ１０を容器本体５０の口部にねじ結合させてポンプ付き噴出器１を口部に装着する。このとき、アダプター３２の上端からパイプ本体３１の上端までの長さＡは、装着キャップ１０が完全に口部にねじ結合される前にアダプター３２の突起３６が容器本体５０の底壁５０ｂに当接する長さに設定されているので、突起３６が底壁５０ｂに当接することによりアダプター３２は初期位置から長さＡを短くする方向にパイプ本体３１に対して相対移動する。そして、ポンプ付き噴出器１の装着キャップ１０が容器本体５０の口部に完全にねじ結合されて装着が完了した状態では、図４（ａ）に示すように、アダプター３２の上端からパイプ本体３１の上端までの長さは、長さＡよりも短い長さＢとなり、アダプター３２はパイプ本体３１に対して初期位置よりも上方に位置する。このとき、突起３６は底壁５０ｂに当接したままであり、また、パイプ本体３１の外周面が縦リブ３４に当接することによりアダプター３２はパイプ本体３１に対して拘束されて当該パイプ本体３１に対する軸方向への移動が困難になるので、吸引用パイプ３０は、吸引口３２ｂは突起３６の突出高さの分だけ底壁５０ｂから離れるように底壁５０ｂに近接配置された長さに維持されることになる。このように、ポンプ付き噴出器１を容器本体５０の口部に装着するだけの簡単な作業により、吸引用パイプ３０の吸引口３２ｂを、突起３６の突出高さの分だけ底壁５０ｂから離れるように底壁５０ｂに近接配置することができる。したがって、押下げヘッド４０を押し下げ操作したときに、容器本体５０に収容された内容液を、隣り合う突起５６の間の隙間から吸引口３２ｂを通してポンプ２０に吸引させることができるとともに容器本体５０に収容されている内容液の残量が少なくなっても内容液を最後まで吸引口３２ｂを通してポンプ２０に吸引させることができる。
【００３７】
このような構成のポンプ付き噴出器１を、図４（ａ）に示す容器本体５０とは内高が相違する他種類の容器本体５０の口部に装着した場合でも、突起３６が底壁５０ｂに当接して吸引用パイプ３０の長さが容器本体５０の内高に合わせて調整されるので、例えば図４（ｂ）に示すように、アダプター３２の上端からパイプ本体３１の上端までの長さが０となるような内高の低い容器本体５０に対しても、アダプター３２を初期位置としたポンプ付き噴出器１を容器本体５０の口部に装着するだけの簡単な作業で、吸引用パイプ３０の吸引口３２ｂを、突起３６の突出高さの分だけ底壁５０ｂから離れるように底壁５０ｂに近接配置することができる。
【００３８】
なお、図４（ｂ）に示すように、アダプター３２の上端からパイプ本体３１の上端までの長さＡが０となったときには、パイプ本体３１の下端が当接面３５ａに当接して、それ以上のアダプター３２の上方への移動が規制される。
【００３９】
このように、上記構成を有するポンプ付き噴出器１では、アダプター３２を初期位置として当該ポンプ付き噴出器１を容器本体５０の口部に装着するだけの簡単な作業で、内高が相違する種々の容器本体５０に対して、吸引用パイプ３０の吸引口３２ｂを容器本体５０の底壁５０ｂに正確に近接配置することができる。したがって、内高が相違する複数種類の容器本体５０に対して複数種類のポンプ付き噴出器１を用意する必要を無くして、ポンプ付き噴出器１の汎用性を高め、これによりポンプ付き噴出器１を用いた液体噴出容器６０のコストを低減することができる。また、吸引用パイプ３０の長さが僅かに相違する複数種類のポンプ付き噴出器１を用意する必要がないので、容器本体５０にポンプ付き噴出器１を組み付ける工程等において、吸引用パイプ３０の長さが相違する他種のポンプ付き噴出器が誤って組み付けられることを防止することができる。
【００４０】
本発明は前記実施の形態に限定されるものではなく、その要旨を逸脱しない範囲で種々変更可能であることはいうまでもない。
【００４１】
例えば、前記実施の形態においては、容器本体５０をガラス製の小瓶としたが、これに限らず、例えば合成樹脂製のボトルなど、容器本体５０の材質や形状、大きさ等は種々変更可能である。
【符号の説明】
【００４２】
１    ポンプ付き噴出器
１０    装着キャップ
１１    周壁
１２    天壁
２０    ポンプ
２１    シリンダ
３０    吸引用パイプ
３１    パイプ本体
３１ａ  液体流路
３２    アダプター
３２ａ  液体流路
３２ｂ  吸引口
３３    横リブ
３４    縦リブ
３５    縮径部
３５ａ  当接面
３６    突起
４０    押下げヘッド
４１    噴出口
５０    容器本体
５０ａ  周壁
５０ｂ  底壁
６０    液体噴出容器
【図１】
2018104053.tif 000003
【図２】
2018104053.tif 000004
【図３】
2018104053.tif 000005
【図４】
2018104053.tif 000006